(57)【要約】【課題】撮影者が所望する範囲に、塵埃等が写りこんでしまうことを防止できる撮像装置及びカメラを提供する。【解決手段】カメラ１は、被写体光を電気信号に変換する撮像部（２２）と、複数のフォーカスエリア（Ｆａ〜Ｆｉ）の測距が可能な測距部（１６）と、前記撮像部（２２）よりも被写体側に配置され、前記被写体光を透過し、前記測距部（１６）の各フォーカスエリアに対応した位置が共振の腹である共振モードを複数有する透過部（２３）と、前記透過部（２３）を振動させる振動部（２５，２５Ｘ，２５Ｙ）と、少なくとも２回の連続撮影を実行し、各撮影の１回前の撮影実行終了から前記各撮影実行開始までの間に、前記振動部（２５，２５Ｘ，２５Ｙ）を制御して、第１回目の撮影のフォーカスエリアに対応した位置に共振の腹を有する共振モードで前記透過部（２３）を振動させる制御部（３４，３４ａ）と、を備える。【選択図】図３
2010074480.tif 000002
【特許請求の範囲】
【請求項１】
被写体光を電気信号に変換する撮像部と、
複数のフォーカスエリアの測距が可能な測距部と、
前記撮像部よりも被写体側に配置され、前記被写体光を透過し、前記測距部の前記各フォーカスエリアに対応した位置が共振の腹である複数の共振モードを有する透過部と、
前記透過部を振動させる振動部と、
少なくとも２回の連続撮影を実行し、各撮影の１回前の撮影実行終了から前記各撮影実行開始までの間に、前記振動部を制御して、第１回目の撮影のフォーカスエリアに対応した位置が共振の腹である共振モードで前記透過部を振動させる制御部と、
を備える撮像装置。
【請求項２】
請求項１に記載の撮像装置において、
前記制御部は、前記１回前の撮影実行終了から前記各撮影実行開始までの時間の長さに応じて、前記第１回目の撮影のフォーカスエリア及びその周囲に対応した位置が共振の腹である共振モードで前記透過部を振動させること、
を特徴とする撮像装置。
【請求項３】
請求項１又は請求項２に記載の撮像装置において、
撮影者が操作可能な操作部を有し、
前記制御部は、前記第１回目の撮影実行前に、前記操作部の出力に応じて、前記測距部のフォーカスエリアを選択すること、
特徴とする撮像装置。
【請求項４】
請求項１から請求項３までのいずれか１項に記載の撮像装置において、
撮影者が操作可能な操作部を有し、
前記制御部は、前記第１回目の撮影実行前に、前記操作部の出力に応じて、前記複数の共振モードを順番に用いて前記透過部を振動させること、
特徴とする撮像装置。
【請求項５】
請求項１から請求項４までのいずれか１項に記載の撮像装置を備えたカメラ。
【発明の詳細な説明】
【技術分野】
【０００１】
本発明は、撮影画像に写り込む塵埃を除去する撮像装置及びカメラに関するものである。
【背景技術】
【０００２】
従来、振動素子もより被写体側に配置された防塵フィルタを共振させ、振動により防塵フィルタの塵埃を振るい落とす電子撮像装置があった（例えば特許文献１）。
しかし、連続撮影をする場合には、撮影間隔が短いために防塵フィルタを共振する時間が短時間しかなく、防塵フィルタの塵埃を振るい落とせない場合があった。このため、従来の電子撮像装置では、撮影画像のうち撮影者が所望する範囲にも、塵埃が写りこんでしまう場合があった。
【特許文献１】特開２００４−２４２１５８号公報
【発明の開示】
【発明が解決しようとする課題】
【０００３】
本発明の課題は、撮影者が所望する範囲に、塵埃等が写りこんでしまうことを防止できる撮像装置及びカメラを提供することである。
【課題を解決するための手段】
【０００４】
本発明は、以下のような解決部により、課題を解決する。なお、理解を容易にするために、本発明の実施例に対応する符号を付して説明するが、これに限定されるものではない。
【０００５】
請求項１の発明は、被写体光を電気信号に変換する撮像部（２２）と、複数のフォーカスエリア（Ｆａ〜Ｆｉ）の測距が可能な測距部（１６）と、前記撮像部よりも被写体側に配置され、前記被写体光を透過し、前記測距部の前記各フォーカスエリアに対応した位置が共振の腹である複数の共振モードを有する透過部（２３）と、前記透過部を振動させる振動部（２５，２５Ｘ，２５Ｙ）と、少なくとも２回の連続撮影を実行し、各撮影の１回前の撮影実行終了から前記各撮影実行開始までの間に、前記振動部を制御して、第１回目の撮影のフォーカスエリアに対応した位置が共振の腹である共振モードで前記透過部を振動させる制御部（３４，３４ａ）と、を備える撮像装置である。
請求項２の発明は、請求項１に記載の撮像装置において、前記制御部（３４，３４ａ）は、前記１回前の撮影実行終了から前記各撮影実行開始までの時間の長さに応じて、前記第１回目の撮影のフォーカスエリア（Ｆａ〜Ｆｉ）及びその周囲に対応した位置が共振の腹である共振モードで前記透過部（２３）を振動させること、を特徴とする撮像装置である。
請求項３の発明は、請求項１又は請求項２に記載の撮像装置において、撮影者が操作可能な操作部を有し、前記制御部（３４，３４ａ）は、前記第１回目の撮影実行前に、前記操作部の出力に応じて、前記測距部（１６）のフォーカスエリアを選択すること、特徴とする撮像装置である。
請求項４の発明は、請求項１から請求項３までのいずれか１項に記載の撮像装置において、撮影者が操作可能な操作部（３４，３５）を有し、前記制御部（３４，３４ａ）は、前記第１回目の撮影実行前に、前記操作部の出力に応じて、前記複数の共振モードを順番に用いて前記透過部（２３）を振動させること、特徴とする撮像装置である。
【０００６】
請求項５の発明は、請求項１から請求項４までのいずれか１項に記載の撮像装置を備えたカメラ（１，１０）である。
【発明の効果】
【０００７】
本発明によれば、撮影者が所望する範囲に、塵埃が写りこんでしまうことを防止できる撮像装置及びカメラを提供することができる。
【発明を実施するための最良の形態】
【０００８】
（実施形態）
以下、図面等を参照して、本発明の実施形態について説明する。
なお、以下に示す各図には、説明と理解を容易にするために、ｘｙｚ直交座標系を設けた。この座標系では、撮影者が光軸Ａを水平として横長の画像を撮影する場合のカメラの位置（以下、通常の撮影位置という）において撮影者から見て左側に向かう方向をｘプラス方向とする。また、通常の撮影位置において上側に向かう方向をｙプラス方向とする。さらに、通常の撮影位置において被写体に向かう方向をｚプラス方向とする。
【０００９】
図１は、本実施形態のカメラ１を示す図である。
図１（ａ）は、光軸Ｏを通る横断面図であり、図１（ｂ）は、光軸Ｏを通る縦断面図である。
カメラ１は、カメラボディ１０とレンズ鏡筒５０とを有し、カメラボディ１０に対してレンズ鏡筒５０が着脱可能なレンズ交換式のカメラである。
なお、カメラ１は、レンズ交換式のカメラに限らず、レンズ一体のコンパクトカメラ等であってもよい。また、図中レンズ鏡筒５０のレンズＬは、１枚に簡略して示すが、実際には複数のレンズから構成される。
【００１０】
カメラボディ１０は、ミラーユニット１１と、ファインダスクリーン１２と、ペンタミラー１２ａと、接眼レンズ１４と、測光素子１５と、ＡＦ検出素子１６と、シャッタ１７と、シーケンスモータ１８と、表示部１９と、撮像ユニット２０等とを備えている。
【００１１】
ミラーユニット１１は、メインミラー１１ａと、サブミラー１１ｂとを備えている。
メインミラー１１ａは、撮影光路内に配置され被写体光をペンタミラー１２ａの方向へ反射する観察位置（図中実線で示す位置）と、撮影光路内から退避した退避位置（図中２点鎖線で示す位置）との間で、回動可能に設けられている。メインミラー１１ａは、被写体観察時には観察位置に配置され、一方、撮影時には退避位置に配置される。メインミラー１１ａは、その中心付近がハーフミラーになっている。
サブミラー１１ｂは、メインミラー１１ａが観察位置にあるときに、ハーフミラーを通過した被写体光をＡＦ検出素子１６の方向へ反射する部材である。サブミラー１１ｂは、メインミラー１１ａの退避にともなって、メインミラー１１ａの裏面に重なるように配置され、撮影光路から退避する。
【００１２】
ファインダスクリーン１２は、被写体観察時に、メインミラー１１ａから導かれた被写体光を結像する部材である。ファインダスクリーン１２に結像した像は、ペンタミラー１２ａによって、接眼レンズ１４の方向に導かれ、撮影者によって観察される。
測光素子１５は、ファインダスクリーン１２に結像した像の光量を検出するセンサである。測光素子１５が検出した光量の情報は、ボディ制御部３６（後述する）に出力され、撮影時の露出を決定する際に利用される。
【００１３】
ＡＦ検出素子１６は、被写体観察時に、サブミラー１１ｂから導かれた被写体光に基づいて、レンズＬの焦点調節状態を検出するセンサである。ＡＦ検出素子１６は、サブミラー１１ｂから導かれた被写体光をマスク（図示せず）により２つに分けた後、２つのラインセンサ（図示せず）上に再結像させ、ラインセンサ上の像の相対的なずれ量（位相差）を算出することにより、レンズＬの焦点調節状態を検出する。ＡＦ検出素子１６は、後述するように、９つのフォーカスエリアの測距を行うことができる。
【００１４】
シャッタ１７は、例えばフォーカルプレーンシャッタであり、レリーズボタン３４（図４参照）の操作に応じて、シャッタ幕を開閉して、撮像面に入射される光の量の加減を行っている。
シーケンスモータ１８は、ミラーユニット１１を駆動したり、シャッタ１７のチャージ等を行う。
【００１５】
表示部１９は、カメラボディ１０の背面（ｚマイナス方向の面）に配置された液晶表示装置等の表示装置である。表示部１９は、振動素子２５が取得し記憶部３３に記憶された撮影画像や、カメラ１の設定をするためのメニュー画面等を表示する。
撮像ユニット２０は、撮影時において、メインミラー１１ａが退避位置に配置されることによって、撮像素子２２に結像した像を電気信号に変換して、ボディ制御部３６（図４参照）に出力する装置である。
【００１６】
図２は、本実施形態の撮像ユニット２０の分解斜視図である。
撮像ユニット２０は、ブラケット２１と、撮像素子２２と、光学的ローパスフィルタ（Ｏｐｔｉｃａｌ  Ｌｏｗ  Ｐａｓｓ  Ｆｉｌｔｅｒ；以下「光学ＬＰＦ」という）２３と、振動素子２５（２５Ｘ，２５Ｙ）と、ＦＰＣ（フレキシブルプリント基板）２６と、固定板２７と、押えモルト２８とを備えている。光学ＬＰＦ２３、撮像素子２２は、被写体側からこの順で配置されている。
ブラケット２１は、撮像ユニット２０のベースとなる部材である。ブラケット２１は、板状に形成されている。
撮像素子２２は、レンズＬを透過して表面に結像した光を電気信号に変換する光電変換素子であり、例えばＣＣＤ（Ｃｈａｒｇｅ−Ｃｏｕｐｌｅｄ  Ｄｅｖｉｃｅ）等である。撮像素子２２は、ブラケット２１に保持されており、ブラケット２１を介して電気基板２２ａ（図１参照）に実装されている。撮像素子２２の電気信号は、ボディ制御部３６（後述する）に出力される。
【００１７】
光学ＬＰＦ２３は、レンズＬを透過した被写体光から高周波成分等を取り除いて、被写体光を撮像素子２２へと導くための光学フィルタである。光学ＬＰＦ２３は、板状に形成され、後述するように、４つの共振モードを有している。光学ＬＰＦ２３は、枠体状に形成されたマスクゴム２４を介して、ブラケット２１に保持される。
【００１８】
撮像ユニット２０は、振動素子２５として、２つの振動素子２５Ｘと、２つ振動素子２５Ｙとを有する。なお、振動素子２５の数は、これらよりも多くても、少なくてもよい。
振動素子２５Ｘは、ＰＺＴ（チタン酸ジルコン酸鉛）により長板状に形成された振動子である。振動素子２５Ｘは、光学ＬＰＦ２３の被写体側表面のｙ方向両縁部に、光学ＬＰＦ２３の被写体側表面に当接した状態で、長手方向がｘ方向になるように配置される。
振動素子２５Ｘは、鋸歯状の波形の電圧を連続的に印加することで、繰り返し伸張して振動をする。振動素子２５Ｘは、例えば６０［ｋＨｚ］〜１００［ｋＨｚ］程度で振動して、光学ＬＰＦ２３を振動させる。
振動素子２５Ｙは、振動素子２５Ｘと同様な振動子である。振動素子２５Ｙは、光学ＬＰＦ２３の被写体側表面のｘ方向両縁部に、長手方向がｙ方向になるように配置される。振動素子２５Ｙは、ｙ方向に振動を発生し、光学ＬＰＦ２３を振動させる。
【００１９】
ＦＰＣ２６は、振動素子駆動回路３１（図４参照）から振動素子２５Ｘ，２５Ｙへと駆動電圧を伝達する電気基板である。ＦＰＣ２６と振動素子２５Ｘ，２５Ｙとは、接着テープ２６ａにより接着される。
固定板２７は、ＦＰＣ２６、振動素子２５Ｘ，２５Ｙ等の部品を、ブラケット２１に固定するための部材である。固定板２７は、弾力を有する押さえモルト２８でこれらの部品を押さえ込んだ状態でブラケット２１にネジ止めされることによって、これらの部品をブラケット２１に固定する。
なお、振動素子２５による振動は、光学ＬＰＦ２３からマスクゴム２４にも伝わるが、マスクゴム２４の振動は、内部のゴム部材により吸収されて減衰する。このため、振動素子２５の振動は、撮像素子２２やブラケット２１等の外部の支持部材と共振し合うことはない。
【００２０】
図３は、本実施形態の光学ＬＰＦ２３を示す図である。
図３（ａ）は、光学ＬＰＦ２３を被写体側から見た図である。
図３（ｂ）は、光学ＬＰＦ２３をｙ方向から見た図である。
図３（ｃ）は、光学ＬＰＦ２３をｘ方向（ｘマイナス方向）から見た図である。
図３（ｄ）〜図３（ｆ）は、光学ＬＰＦ２３をｙ方向から見たときのモード１〜モード３の共振波形を示す図である。
図３（ｇ）は、光学ＬＰＦ２３をｘ方向（ｘマイナス方向）から見たときのモード４の共振波形を示す図である。
なお、図３（ａ）には、ＡＦ検出素子１６が測距を行うフォーカスエリアＦａ〜Ｆｉに対応する位置を、光学ＬＰＦ２３に重ねて示す。
【００２１】
図３（ｄ）に示すように、モード２の共振周波数ｆ１において、光学ＬＰＦ２３は、フォーカスエリアＦａ，Ｆｅに対応した位置が、共振の腹であり最大振幅となっている。
図３（ｅ）に示すように、モード２の共振周波数ｆ２において、光学ＬＰＦ２３は、フォーカスエリアＦｂ，Ｆｄに対応した位置が、共振の腹であり最大振幅となっている。
図３（ｆ）に示すように、モード３の共振周波数ｆ３において、光学ＬＰＦ２３は、フォーカスエリアＦｃに対応した位置が、共振の腹であり最大振幅となっている。
図３（ｇ）に示すように、モード４の共振周波数ｆ４において、光学ＬＰＦ２３は、フォーカスエリアＦｆ，Ｆｇ，Ｆｈ，Ｆｉに対応した位置が、共振の腹であり最大振幅となっている。
【００２２】
このように、光学ＬＰＦ２３は、被写体光を透過し、各フォーカスエリアに対応した位置に共振の腹を有する４つの共振モードを有している。
振動素子２５Ｘ，２５Ｙは、各モードの共振周波数で振動することによって、光学ＬＰＦ２３を各共振周波数で振動させる。これによって、振動素子２５Ｘ，２５Ｙは、光学ＬＰＦ２３のうち、各フォーカスエリアに対応した位置を最大振幅で振動させて、その位置に付着した塵埃を振るい落とすことができる。
【００２３】
図４は、本実施形態のカメラ１のブロック図である。
カメラ１は、カメラボディ１０に、振動素子駆動回路３１と、通信部３２と、記憶部３３と、レリーズボタン３４と、フォーカスエリア選択部３５と、ボディ制御部３６等とを備えている。また、カメラ１は、レンズ鏡筒５０に、操作検知部５１と、操作量検知部５２と、通信部５３と、レンズ制御部５４等とを備えている。
【００２４】
カメラボディ１０の振動素子駆動回路３１は、振動素子２５Ｘ，２５Ｙを駆動する電気回路である。
通信部３２は、レンズ鏡筒５０との間で、情報の送受信をするための電気的接点等である。
記憶部３３は、カメラ１の動作に必要なプログラム、情報等を記憶する半導体メモリ素子等の記憶装置である。また、記憶部３３は、撮影情報記憶部３３ａを備えている。
撮影情報記憶部３３ａは、フラッシュメモリ等の半導体メモリ素子等を備えた記憶装置であり、カメラボディ１０に着脱可能に設けられる。撮影情報記憶部３３ａは、撮像素子２２が取得した撮影情報等を記憶する。
【００２５】
レリーズボタン３４は、シャッタ１７を開閉等させるための操作ボタンである。レリーズボタン３４は、例えば、カメラボディ１０の天面に設けられている。
フォーカスエリア選択部３５は、撮影者が被写体観察時に所望のフォーカスエリアＦａ〜Ｆｉ（図３参照）を選択するためのダイヤル式の操作部である。フォーカスエリア選択部３５は、例えば、カメラボディ１０の側面に設けられている。
【００２６】
ボディ制御部３６は、カメラボディ１０を統括的に制御するための制御部であり、ＣＰＵ（中央演算装置）等から構成される。ボディ制御部３６は、記憶部３３に記憶された各種プログラムを適宜読み出して実行することにより、前述したハードウェアと協働し、本発明に係る各種機能を実現している。また、ボディ制御部３６は、振動素子駆動回路３１を制御する振動素子制御部３６ａを備えている。
ボディ制御部３６は、操作部（図示せず）の操作に応じて、このカメラ１を少なくとも２回の連続撮影を実行するように制御する。
【００２７】
レンズ鏡筒５０の操作検知部５１は、レンズ鏡筒５０の操作部（図示せず）の操作を検知するための検出部である。操作検知部５１は、測光方式の選択等（例えば絞り優先測光等）等を検知することができる。
操作量検知部５２は、レンズ鏡筒５０の操作部（図示せず）に応じて、その操作量を件検出するための検出部である。操作量検知部５２は、その操作量に応じて、絞り値等を検出することができる。
通信部５３は、カメラボディ１０との間で、情報の送受信をするための電気的接点等である。
レンズ制御部５４は、レンズ鏡筒５０を統括的に制御するための制御部であり、ＣＰＵ等から構成される。レンズ制御部５４は、レンズ制御部５４からの情報を、通信部５３を介してカメラボディ１０に出力したりする。
【００２８】
次に、カメラ１の動作について説明する。
図５は、本実施形態のカメラ１の動作を示すフローチャートである。
最初に、ステップＳ（以下、単に「Ｓ」という）１０において、撮影者による操作部の操作に応じて、ボディ制御部３６が撮影モードを連続撮影モードに設定する。
Ｓ２０において、ボディ制御部３６は、測光素子１５を制御して被写体光量の検出を開始し、また、撮影者による操作部の操作に応じて、シャッタースピード、絞り値を設定する。
Ｓ３０において、ボディ制御部３６は、マニュアルフォーカスかオートフォーカスかを選択するオートフォーカススイッチ（図示せず）の出力に基づいて、測距方式がオートフォーカスであるか否かを判定する。ボディ制御部３６は、測距方式がオートフォーカスではないと判定した場合（Ｓ３０：ＮＯ）、Ｓ２０からの処理を繰り返す。一方、ボディ制御部３６は、測距方式がオートフォーカスであると判定した場合（Ｓ３０：ＹＥＳ）、撮影者がフォーカスエリア選択部３５を操作して選択したフォーカスエリアを記憶部３３に記憶して、Ｓ４０に進む。
【００２９】
Ｓ４０において、ボディ制御部３６は、撮影者によってレリーズボタン３４が操作され、レリーズがＯＮであるか否かを判定する。ボディ制御部３６は、レリーズがＯＮであると判定した場合には（Ｓ４０：ＹＥＳ）、Ｓ５０に進み、一方、レリーズがＯＮではないと判定した場合には（Ｓ４０：ＮＯ）、Ｓ２０からの処理を繰り返す。
【００３０】
Ｓ５０において、ボディ制御部３６は、この撮影が第１回目か否かを判定する。ボディ制御部３６は、１回目であると判定した場合には（Ｓ５０：ＹＥＳ）、Ｓ６０に進み、一方、１回目ではないつまり２回目以降であると判定した場合には（Ｓ５０：ＮＯ）、Ｓ７０に進む。
【００３１】
Ｓ６０において、ボディ制御部３６は、光学ＬＰＦ２３全体の塵埃を除去するために、共振周波数ｆ０にて十分な時間ｔ０をかけて、光学ＬＰＦ２３を振動させ塵埃を振るい落とす。
ここで、共振周波数ｆ０は、モード１〜４に相当する共振周波数を順番に用いてもよく、あるいは、モード１〜４の共振周波数を用いずに、別の共振周波数を用いてもよい。前者の場合、それぞれのモードに対する共振周波数にて、２５０［ｍｓ］ずつ順番に振動させるとすれば、ボディ制御部３６は、モード１〜４の合計で時間ｔ０［ｓ］＝１［ｓ］の間、光学ＬＰＦ２３を振動させる。これにより、カメラ１は、第１回目の撮影実行前に、光学ＬＰＦ２３のうち全てのフォーカスエリアＦａ〜Ｆｉに対応した位置の塵埃を振るい落とすことができる。
【００３２】
Ｓ７０において、ボディ制御部３６は、撮影者がＳ３０にて選択したフォーカスエリアの位置を確認する。
Ｓ８０において、ボディ制御部３６は、Ｓ７０で確認したフォーカスエリアは、光学ＬＰＦ２３のモード１の共振モードで最大振幅を有する位置に対応するか否か、つまりフォーカスエリアＦａ，Ｆｅ（図３（ｄ）参照）であるか否かを判定する。ボディ制御部３６は、フォーカスエリアＦａ，Ｆｅであると判定した場合（Ｓ８０：ＹＥＳ）、Ｓ９０に進み、フォーカスエリアＦａ，Ｆｅではないと判定した場合（Ｓ８０：ＮＯ）、Ｓ１００に進む。
Ｓ９０において、ボディ制御部３６は、振動素子２５を駆動して、共振周波数ｆ１にて、ｔ０よりも短い時間ｔ１で、光学ＬＰＦ２３を共振させる。これにより、ボディ制御部３６は、フォーカスエリアＦａ，Ｆｅに対応した位置を振動させ塵埃を振るい落とす。
【００３３】
このように、カメラ１は、連写撮影モードにおいて、第１回目の撮影が終了した後は、その後の撮影では、撮影者が第１回目の撮影で選択したフォーカスエリアに対応した光学ＬＰＦ２３の位置を最大振幅で振動させて塵埃を除去する。
ここで、撮影画像に塵埃が最も写り込んで欲しくないエリアは、撮影者が選択したフォーカスエリアである。そこで、カメラ１は、連続撮影時の２回目以降では、撮影者が第１回目の撮影時に選択したフォーカスエリアに対応した光学ＬＰＦ２３の位置に、ピーク（最大振幅）を有する共振周波数にて、この位置を重点的に塵埃除去を行う。
【００３４】
これにより、例えば、撮影実行の際にシャッタ１７等の動作によって、塵埃が発生してしまう場合であっても、撮影画像のうち撮影者が所望のエリアに、塵埃が写り込むこと確実に防止することができる。また、カメラ１は、ｔ０よりも短い時間ｔ１で、光学ＬＰＦ２３を振動させて塵埃除去動作すればよいので、連写撮影速度の低下を防止することができる。以下のＳ１１０，Ｓ１３０，Ｓ１４０の処理も同様である
ボディ制御部３６は、Ｓ９０の後、Ｓ１５０に進む。
【００３５】
Ｓ１００において、ボディ制御部３６は、Ｓ７０で確認したフォーカスエリアは、光学ＬＰＦ２３のモード２の共振モードで最大振幅を有する位置に対応するか否か、つまりフォーカスエリアＦｂ，Ｆｄ（図３（ｅ）参照）であるか否かを判定する。ボディ制御部３６は、フォーカスエリアＦｂ，Ｆｄであると判定した場合（Ｓ１００：ＹＥＳ）、Ｓ１１０に進み、フォーカスエリアＦｂ，Ｆｄではないと判定した場合（Ｓ１００：ＮＯ）、Ｓ１２０に進む。
Ｓ１１０において、ボディ制御部３６は、共振周波数ｆ２にて、ｔ０よりも短い時間ｔ１で光学ＬＰＦ２３を振動させ塵埃を振るい落とす。
【００３６】
Ｓ１２０において、ボディ制御部３６は、Ｓ７０で確認したフォーカスエリアは、光学ＬＰＦ２３のモード３の共振モードで最大振幅を有する位置に対応するか否か、つまりフォーカスエリアＦｃ（図３（ｆ）参照）であるか否かを判定する。ボディ制御部３６は、フォーカスエリアＦｃであると判定した場合（Ｓ１２０：ＹＥＳ）、Ｓ１３０に進み、フォーカスエリアＦｃではないと判定した場合（Ｓ１２０：ＮＯ）、Ｓ１４０に進む。
Ｓ１３０において、ボディ制御部３６は、共振周波数ｆ３にて、ｔ０よりも短い時間ｔ１で光学ＬＰＦ２３を振動させ塵埃を振るい落とす。
【００３７】
Ｓ１４０に進む場合は、撮影者がフォーカスエリアＦａ〜Ｆｅ以外を選択した場合、つまりフォーカスエリアＦｆ，Ｆｇ，Ｆｈ，Ｆｉを選択した場合である。そこで、Ｓ１４０おいて、ボディ制御部３６は、フォーカスエリアＦｆ，Ｆｇ，Ｆｈ，Ｆｉに対応した位置に最大振幅をもつ共振周波数ｆ４にて、ｔ０よりも短い時間ｔ１で光学ＬＰＦ２３を振動させ塵埃を振るい落とす。
【００３８】
Ｓ１５０において、ボディ制御部３６は、Ｓ２０にて撮影者が設定したシャッタ速度，絞り値に基づき、レンズ鏡筒５０の絞りとシャッタ１７を制御し、撮影実行を行う。
Ｓ１６０において、ボディ制御部３６は、レリーズボタン３４からの出力に基づいて、レリーズがＯＮ状態、つまり連続撮影モードが維持されているか否かを判定する。ボディ制御部３６は、ＯＮが維持されていると判定した場合（Ｓ１６０：ＹＥＳ）、Ｓ２０からの処理を繰り返し、一方、レリーズがＯＦＦであると判定した場合には（Ｓ１６０：ＮＯ）、Ｓ１７０に進む。
【００３９】
Ｓ１７０において、ボディ制御部３６は、撮影者がレリーズボタン３４を操作することにより、連続撮影モードがＯＦＦとされたか否かを判定する。ボディ制御部３６は、連続撮影モードがＯＦＦとされたと判定した場合には（Ｓ１７０：ＹＥＳ）、Ｓ１８０に進んで連続撮影を終了し、一方、連続撮影モードがＯＦＦとされていないと判定した場合には（Ｓ１７０：ＮＯ）、Ｓ２０からの処理を繰り返す。
【００４０】
以上説明したように、本実施形態のカメラ１は、連続撮影での２回目以降の撮影時に、第１回目の撮影で選択されたフォーカスエリアに対応した光学ＬＰＦ２３のエリアが最大振幅となる共振周波数で振動させることにより、撮影画像のうち撮影者が所望する範囲に、塵埃が写りこんでしまうことを防止することができる。
【００４１】
以上、本発明の実施形態について説明したが、本発明は前述した実施形態に限定されるものではなく、後述する変形形態のように種々の変形や変更が可能であって、それらも本発明の技術的範囲内である。また、本発明による効果は、実施形態に記載したものに限定されない。なお、前述した実施形態及び後述する変形形態は、適宜組み合わせて用いることもできるが、詳細な説明は省略する。
【００４２】
（変形形態）
（１）本実施形態において、カメラは、１回前の撮影実行終了から各撮影実行開始前までの時間（以下「レリーズタイムラグ」という）の長さに、１つの共振モードで光学ＬＰＦを振動させた例を説明したが、これに限定されない。例えば、レリーズタイムラグの長さに応じて、複数の共振モードで光学ＬＰＦを振動させてもよい。
レリーズタイムラグは、同じシャッタースピードの連続撮影の場合、例えば、３コマ／秒と９コマ／秒とでは、長さが異なる。３コマ／秒の場合のように、レリーズタイムラグが長く、塵埃除去動作の駆動時間にゆとりがあるときは、撮影者が選択したフォーカスエリアの位置に振幅のピーク（最大振幅）をもつ共振周波数、及びそのフォーカスエリア周囲に振幅のピーク（最大振幅）をもつ共振周波数で、光学ＬＰＦの塵埃除去動作をさせる。これによって、第１回目の撮影のフォーカスエリアに加えてその周囲に付着した塵埃を振るい落とすことができる。
例えば、図３において、撮影者がフォーカスエリアＦｃを選択した場合、ボディ制御部３６は、フォーカスエリアＦｃに対応した位置に振幅のピーク（最大振幅）をもつ振動モード３の共振周波数ｆ３で、光学ＬＰＦ２３を振動させる。ボディ制御部３６は、次にフォーカスエリアＦｃの付近に振幅のピーク（最大振幅）をもつモード１の共振周波数ｆ１又はモード４の共振周波数ｆ４で、光学ＬＰＦ２３を振動させる。
これにより、カメラは、撮影者がピントを合わせたフォーカスエリア及びフォーカスエリア周囲の塵埃除去が可能となり、撮影画像に塵埃が写り込まないエリアが拡大できる。
【００４３】
（２）本実施形態において、フォーカスエリアは、９つの例を示したが、これに限定されない。フォーカスエリアの数は、問わず、例えば、フォーカスエリアが９つよりも、多くても少なくても、そのフォーカスエリアに対応した共振周波数で、光学ＬＰＦを振動させればよい。
【図面の簡単な説明】
【００４４】
【図１】本実施形態のカメラを示す図である。
【図２】本実施形態の撮像ユニットの分解斜視図である。
【図３】本実施形態の光学ＬＰＦを示す図である。
【図４】本実施形態のカメラのブロック図である。
【図５】本実施形態のカメラの動作を示すフローチャートである。
【符号の説明】
【００４５】
１…カメラ    １０…カメラボディ    １２…ファインダスクリーン    １６…ＡＦ検出素子    ２０…撮像ユニット    ２２…撮像素子    ２３…光学ＬＰＦ    ２５，２５Ｘ，２５Ｙ…振動素子    ３４…レリーズボタン    ３５…フォーカスエリア選択部    ３６…ボディ制御部    Ｆａ〜Ｆｉ…フォーカスエリア
【図１】
2010074480.tif 000003
【図２】
2010074480.tif 000004
【図３】
2010074480.tif 000005
【図４】
2010074480.tif 000006
【図５】
2010074480.tif 000007